(57)【特許請求の範囲】
【請求項１】
被検者の他覚的及び自覚的に求めることが可能な左眼屈折力測定ユニットと右眼屈折力測定ユニットが設けられ、前記各眼屈折力測定ユニットがそれぞれ独立した駆動手段で少なくとも左右に駆動可能に設けられた眼屈折力測定装置であって、
前記各眼屈折力測定ユニットをそれぞれ独立して水平回動させる水平回動手段と、前記各眼屈折力測定ユニットの左右への駆動量及び水平回動量から両眼屈折力測定ユニットの間隔及び測定光軸角度を求めて、前記間隔から前記被検者の左右眼の瞳孔間距離を求める演算制御回路を有することを特徴とする眼屈折力測定装置。
【請求項２】
前記眼屈折力測定ユニットは、三次元駆動機構により前後・左右・上下に駆動可能に設けられていると共に、オートアライメント可能であることを特徴とする請求項１に記載の眼屈折力測定装置。
【発明の詳細な説明】
【０００１】
【発明の属する技術分野】
この発明は、被検眼の眼屈折力を自覚的及び他覚的に測定する眼屈折力測定装置に関するものである。
【０００２】
【従来の技術】
従来から被検眼の眼屈折力を測定する眼屈折力測定装置としては、特開２０００−８３９００号公報に開示されたような検眼装置が知られている。この検眼装置は、被検者の左右眼の眼屈折力を自覚的及び他覚的に同時に測定するようになっていると共に、被検者の左右眼の瞳孔間距離を求めることができるようになっている。
【０００３】
【発明が解決しようとする課題】
しかしながら、この検眼装置では、求めた瞳孔間距離を出力せずに内部の制御に用いるものであったため、求めた瞳孔間距離をメガネの製造のためのデータとして出力する様にはしていないものであった。しかも、この検眼装置では、左右眼が遠方視しているときの瞳孔間距離を求めることはできるが、左右眼が近用部を見ているときの瞳孔間距離を測定することはできないものであった。
【０００４】
そこで、この発明の目的は、遠用視及び近用視したときの瞳孔間距離を求めることが可能な眼屈折力測定装置を提供することにある。
【０００５】
【課題を解決するための手段】
この第１の目的を達成するため、請求項１の発明は、被検者の他覚的及び自覚的に求めることが可能な左眼屈折力測定ユニットと右眼屈折力測定ユニットが設けられ、前記各眼屈折力測定ユニットがそれぞれ独立した駆動手段で少なくとも左右に駆動可能に設けられた眼屈折力測定装置であって、前記各眼屈折力測定ユニットをそれぞれ独立して水平回動させる水平回動手段と、前記各眼屈折力測定ユニットの左右への駆動量及び水平回動量から両眼屈折力測定ユニットの間隔及び測定光軸角度を求めて、前記間隔から前記被検者の左右眼の瞳孔間距離を求める演算制御回路を有する眼屈折力測定装置としたことを特徴とする。
【０００６】
また、請求項２の発明は、前記眼屈折力測定ユニットは、三次元駆動機構により前後・左右・上下に駆動可能に設けられていると共に、オートアライメント可能であることを特徴とする。
【０００７】
【発明の実施の形態】
以下、この発明の実施の形態を図面に基づいて説明する。
【０００８】
図１において、３００は検眼情報センター、３０１，３０２は検眼情報センター３００とは異なる場所のスーパー等の建物、３０３，３０４はデパート等の建物、３０５は駅等の建物である。これらの建物３０１〜３０５のコーナ等には、検眼ボックスＢ１〜Ｂ５が配置されている。
【０００９】
検眼情報センター３００には、検眼情報処理装置３０６が配設されている。この検眼情報処理装置３０６は、センター側制御手段としてのコンピュータ（情報処理装置本体、情報処理手段）３０７と、コンピュータ３０７のキーボードやマウス等の操作手段３０８と、モニターテレビや液晶テレビ等の多数の表示装置３０９をセンター側表示装置として有する。
【００１０】
また、検眼ボックスＢ１〜Ｂ５内には、図４（ａ）に示したように、検眼テーブル３１０が設けられていると共に、顧客用椅子（被検者用椅子）３１１が設けられている。そして、検眼テーブル３１０上には、自覚による眼屈折力の測定と他覚による眼屈折力とを行うことができる眼屈折力測定装置３１２が検眼装置としてそれぞれ設置されている。この検眼ボックスＢ１〜Ｂ５内の眼屈折力測定装置３１２はインターネット（ネットワーク）３１１を介してコンピュータ３０７に接続されている。
[眼屈折力測定装置３１２]
眼屈折力測定装置３１２は、図４〜図７，図９に示した様に、検眼テーブル３１０上に取り付けられたパルスモータや油圧シリンダ等を用いて支持軸３１３ａを上下駆動する様にした昇降装置（上下駆動手段）３１３と、支持軸３１３ａ上に取り付けられた検眼装置本体３１４と、昇降装置３１３や検眼装置本体３１４の作動制御を行わせるのに用いるパソコン本体３１５を有する。このパソコン本体３１５内には図１１に示した演算制御回路３１５ａが内蔵されていると共に、この演算制御回路３１５ａにはジョイステックレバー３１５ｂが測定操作手段及び駆動操作手段として接続されている。
【００１１】
また、パソコン本体３１５には、他覚式又は自覚式の検眼モードを選択する検眼モード選択スイッチ３１ｃ、遠用測定スイッチ３１５ｄ、近用測定スイッチ３１５ｅ等の測定モード切換スイッチが測定操作手段として設けられている。このスイッチ３１５ｃ〜３１５ｅからの信号は演算制御回路３１５ａに入力され、ジョイスティックレバー３１５ｂの操作信号も演算制御回路３１５ａに入力される。更に、パソコン本体３１５には、昇降装置３１３を作動させて検眼装置本体３１４を上昇させるスイッチ３１５ｆと、昇降装置３１３を作動させて検眼装置本体３１４を降下させるスイッチ３１５ｇが駆動操作手段として設けられている。このスイッチ３１５ｆ、３１５ｇの信号も演算制御回路３１５ａに入力される。そして、演算制御回路３１５ａは、スイッチ３１５ｆからのＯＮ信号を受けると、昇降装置３１３を作動させて検眼装置本体３１４を上昇させ、スイッチ３１５ｇからのＯＮ信号を受けると、昇降装置３１３を作動させて検眼装置本体３１４を降下させる様になっている。
【００１２】
この検眼装置本体３１４は、ケース本体３１６と、ケース本体３１６内の左右に配設された一対の三次元駆動装置（三次元駆動機構）３１７Ｌ，３１７Ｒと、三次元駆動手段である三次元駆動装置３１７Ｌ，３１７Ｒ上にそれぞれ配設された水平回転装置（水平回転駆動装置）３１８Ｌ，３１８Ｒと、水平回転装置３１８Ｌ，３１８Ｒ上にそれぞれ配設された左眼屈折力測定ユニット３１９Ｌ及び右眼屈折力測定ユニット３１９Ｒを有する。
【００１３】
この眼屈折力測定ユニット３１９Ｌ，Ｒは演算制御回路４００をそれぞれ有し、この演算制御回路４００は図２５に示した位置検出回路４０１を有する。
【００１４】
また、ケース本体３１６の前面中央上部には検眼窓４０２が形成され、ケース本体３１６の前面中央上端部には検眼窓４０２の上方に位置して広角のテレビカメラ（撮像手段）４０３が取り付けられている。また、ケース本体３１６には、左眼屈折力測定ユニット３１９Ｌと右眼屈折力測定ユニット３１９Ｒとの間に位置させて、即ち検眼窓４０２の中央上部に位置させて被検者の顔までの距離を測定する測距手段（測距センサ）４０４が取り付けられている。更に、ケース本体３１６の前面中央下端部には赤外線を用いた人感センサ４０５が取り付けられ、ケース本体３１６の前面中央下部には液晶表示器等の表示装置４０６が検眼装置本体側表示装置として取り付けられている。
【００１５】
測距手段４０４は、顧客用椅子（被検者用椅子）３１１に着座する顧客４０７の顔までの距離を測定して、演算制御回路３１５ａに入力する。また、人感センサ４０５は、顧客用椅子（被検者用椅子）３１１に着座する顧客４０７を感知して、感知信号を演算制御回路３１５ａに入力する。
【００１６】
更に、表示装置４０６の右上部にはテレビカメラ４０３で撮影した顔４０８の画像４０８ａが演算制御回路３１５ａを介して表示され、表示装置４０６の左右の部分には眼屈折力測定ユニット３１９Ｌ，３１９Ｒの後述する撮像管（テレビカメラ）３８，３８で撮像した被検者の前眼部像４０９Ｌ，４０９Ｒが演算制御回路４００，４００及び３１５ａを介して映し出されるようになっている。
＜三次元駆動装置＞
三次元駆動装置（三次元駆動手段）３１７Ｌ，３１７Ｒは、パルスモータや油圧シリンダ等を用いて支持軸３２０ａを上下駆動する様にしたＹ（上下）方向駆動装置３２０と、支持軸３２０ａの上端に取り付けられたＹ（上下）方向移動テーブル３２１と、Ｙテーブル３２０ａ上にＺ（前後）方向に移動可能に取り付けられたＺ（前後）方向移動テーブル３２２と、Ｚ方向移動テーブル３２２上にＸ（左右）方向に移動可能に取り付けられたＸ（左右）方向移動テーブル３２３を有する。
【００１７】
そして、図８に示したように、Ｚ方向移動テーブル３２２は、Ｙ方向移動テーブル３２１に取り付けられたパルスモータ（Ｚ方向駆動装置）３２４と、パルスモータ３２４により回転駆動される送りネジ３２５によりＺ（前後）方向に進退駆動させられる様になっている。また、Ｘ方向移動テーブル３２３は、Ｚ方向移動テーブル３２２に取り付けられたパルスモータ３２６と、パルスモータ３２６により回転駆動される送りネジ３２７によりＸ（左右）方向に進退駆動させられる様になっている。
【００１８】
このＹ方向駆動装置３２０やパルスモータ３２４，３２６は、後述するように演算制御回路４００の位置検出回路４０１で制御される。
＜水平回転装置＞
また、水平回転装置（水平回動手段）３１８Ｌ，３１８Ｒは三次元駆動装置３１７Ｌ，３１７Ｒの上面中央に固定されている。この水平回転装置３１８Ｌ，３１８Ｒは、パルスモータ等により鉛直軸を中心に回転駆動される回転軸３１８，３１８を有する。そして、この水平回転装置３１８Ｌ，３１８Ｒの回転軸３１８，３１８には、左眼屈折力測定ユニット３１９Ｌ及び右眼屈折力測定ユニット３１９Ｒが固定されている。
＜眼屈折力測定ユニット＞
左眼屈折力測定ユニット３１９Ｌ及び右眼屈折力測定ユニット３１９Ｒは、一部を省略した以外は構成が略同じであるので、まず左眼屈折力測定ユニット３１９Ｌの測定光学系について説明する。
（ａ）左眼屈折力測定ユニット３１９Ｌの測定光学系及びその制御系
この左眼屈折力測定ユニット３１９Ｌの測定光学系は、図１６に示す様に、他覚式の左眼屈折力測定光学系３３０Ｌと、自覚式の眼屈折力測定光学系３４０Ｌと、これらを収容するケース（筐体）３５０Ｌを有する。
（他覚式の左眼屈折力測定光学系３３０Ｌ）
他覚式の左眼屈折力測定光学系３３０Ｌは、被検眼位置検出系50,測定ターゲットを被検眼眼底に投影するターゲット投影光学系51,上記測定ターゲット像のずれ量を検出する2次元検出器52、被検眼眼底の測定ターゲット像を2次元検出器52に投影するターゲット受光光学系53、被検眼の視準軸を固定する固視目標系54及び被検眼EＲ(左眼)と本装置との位置関係を表示する照準光学系55を有する。
【００１９】
被検眼位置検出系50は、図１６に示す様に発光素子102、投影レンズ104、第1ハーフミラー106及び第2ハーフミラー108を、第2ハーフミラー108の反射光軸上に配置する。また、第1ハーフミラー 106の反射光軸上に、結像レンズ109、チョッパー110、2次元受光素子112を配置する。
【００２０】
さらに、チョッパー110の一方の側には基準信号用発光素子 113、また他方の側には基準信号用受光素子114が配置される。発光素子102と受光素子112とは、被検眼EＬ(左眼)の角膜頂点と角膜曲率中心との中点C(角膜を凸面状とした時の焦点位置)と投影レンズ104及び結像レンズ109に関し共役である。
【００２１】
すなわち、被検眼EＬ(左眼)が適正位置にある時、被検眼角膜からの反射光束は平行光束となり結像レンズ109により、受光素子112上に発光素子102の像が輝点像１０２ａとして形成される。チョッパー110は、図１７に示す様に、複数の扇形スリット115を有する円盤によって構成され、円盤中心116を中心に回転運動する。光軸118は扇形スリット115の略中心を通過する。
【００２２】
また絞り119は受光素子112に入射する光量を一定にするためのものであり、扇形スリット115の2倍の開口を有する絞りである。扇形スリット115における光束120は、前記絞り119の開口部の略外接円である。
【００２３】
上記構成における被検眼位置検出系50の検出原理は、以下の通りである。結像レンズ109による結像点(122)が受光素子112より後方(結像レンズ 109と反対側)にある場合において、 チョッパー110が回転すると、図１８A,B,Cに示す様に、扇形スリット115が徐々に結像レンズの光束内を通過することにより、受光素子112上には図１９A,B,Cに示す様な光束が入射する。図１９において、Xは光軸の通過位置を示し、Oは入射光束の断面の重心位置を示す。この時の受光素子112の検出信号は、図２０の実線で示す如くである。図２０において、横軸はチョッパーの位置を示し、縦軸はY方向の座標を示す。
【００２４】
また、結像レンズ109による結像点(122)が受光素子112より前方(結像レンズ109の側)にある場合は、チョッパー110が回転すると、図２１,図２２に示す様になる。図２１、図２２は図１８,図１９にそれぞれ対応する。この時の受光素子112の検出信号は、図の２０に点線で示す如くである。
【００２５】
さらにまた、結像レンズ109による結像点が受光素子112上である場合には、受光素子112の検出信号は、図２０の一点鎖線で示す如く横軸と平行な直線となる。
【００２６】
すなわち、上記受光素子112の検出信号により、結像点が受光素子の前後方向のどこにあるか、言い換えれば、被検眼の角膜頂点が所定位置から前後方向においてどの向きにどれだけずれているかを検知することができる。同時に、受光素子112上の平均的入射位置の座標を検出することにより、被検眼の角膜頂点位置が所定適当位置に対し上下及び左右方向においてどの向きにどれだけずれているかを検出することができる。なお、本実施例では、被検眼EＲ(左眼)が適正位置にある時、受光素子112が被検眼の角膜頂点あるいは角膜曲率中心と共役な位置に配置してもよい。
【００２７】
ターゲット投影用光学系51は、図１６に示す様に、光軸を中心に配置された一対の赤外線光源1a,1b、赤外線光源1a,1bからの光をそれぞれ集光する集光レンズ2a,2b、平行光を作るコリメータレンズ3、円形開口絞り4を有する測定ターゲット5、結像レンズ6、投影用結像レンズ7、赤外光に関するハーフミラー8および長波長部の赤外光を反射し可視部とこれに近接した赤外光とを透過する特性を有するダイクロイックミラー9と、ケース３５０Ｌに支持アーム３５１で支持されたハーフミラーＨｍから構成される。
【００２８】
上記一対の赤外線光源1a,1bは高速度で交互に点灯し、また該光源1a,1bは一体となって光源を中心に回転可能に構成される。また、上記の構成において、一対の赤外線光源1a,1bからの光は、それぞれ集光レンズ2a,2bによって集光され、さらにコリメータレンズ3により平行光にされて円形開口絞り4に斜めに入射する。円形開口絞り4を通過した光は、結像レンズ6により点P1の位置に結像した後、投影用結像レンズ7、ハーフミラー8、ダイクロイックミラー9及びハーフミラーＨｍを介して被検眼EＬ(左眼)に入射する。
【００２９】
ここで赤外線光源1a,1bの像は被検眼EＬ(左眼)の瞳孔位置に結像し、また測定ターゲット5の円形開口絞り4の像は被検眼の眼底P2に結像する。そして、測定ターゲット5と被検眼EＬ(左眼)の眼底P2とが共役な位置関係にあるときには、赤外線光源1aからの光によって照明された円形開口絞り4の像と、赤外線光源1bからの光によって照明された円形開口絞り4の像とが、眼底P2の同一位置に結像される。他方、測定ターゲット5と被検眼EＬ(左眼)の眼底P2とが共役な位置関係にないときには、上記赤外線光源からの光によって照明された円形開口絞り4像が眼底P2の分離した2箇所にそれぞれ結像する。
【００３０】
ターゲット受光光学系53は、図１６に示すように、ダイクロイックミラー9、ハーフミラー8、受光用対物レンズ10、ミラー11、受光用対物レンズ10に関し被検眼角膜と共役な位置に配置された角膜反射光遮断絞り12及びリレーレンズ13によって構成される。
【００３１】
上記角膜反射光遮断絞り12は、図２３に示すように、ほぼ円孔であって、光軸通過位置に関し対象な2箇所に突出遮光部12a,12bを有する絞り板である。また、上記角膜反射光遮断絞り12は、赤外線光源1a,1bが光軸回りに回転するとき、この回転運動に連動して回転するように構成されている。さらに、上記角膜反射光遮断絞り12は、リレーレンズ13の前側焦点位置に配置されて、リレーレンズ13による投影光学系はテレセン光学系に類似したものとなる。
【００３２】
以上の構成において、被検眼眼底P2の測定ターゲット像は、ハーフミラーＨｍ，ダイクロイックミラー9、ハーフミラー、受光用対物レンズ10、ミラー11、リレーレンズ13によって、2次元検出器52に投影される。
【００３３】
この時、被検眼角膜からの有害反射光は、反射光遮断絞り12の突出遮光部12a,12bによって除去される。また、角膜反射光遮断絞り12とリレーレンズ13とはテレセン光学系に類似した光学系を構成しているから、測定光学系14に結像される測定ターゲット像は、光軸に平行な主光線からなる光束によって構成され、結像位置の前後においても測定ターゲット像である円孔像の中心位置が変位しない性質を有する。
【００３４】
2次元検出器52は、被検眼眼底における円形開口絞り4の像が、赤外線光源1a及び1bの交互点灯によって合致するか分離するかを弁別して、分離している時にはその分離距離を測定する。この測定値から公知の演算回路によりその赤外線光源1a及び1bの並んだ経線方向の被検眼屈折力を算出する。
【００３５】
固視目標系54は、図１６に示すように、可視光源31、集光レンズ32、光源方向に移動可能な固視ターゲット33、ミラー34、投影レンズ35、可視光を反射し赤外光を透過するダイクロイックミラー36により構成される。
【００３６】
以上の構成において、可視光光源31からの光は、集光レンズ32を介して固視ターゲット33を照明する。固視ターゲット33からの光は、ミラー34、投影レンズ35、ダイクロイックミラー36を介し、さらに上記ハーフミラー9、ハーフミラーＨｍを通過して被検眼EＬ(左眼)に投影される。被検者は固視ターゲット33を注視することにより視準方向を固定する。
【００３７】
照準光学系55は、ハーフミラーＨｍ、ダイクロイックミラー9、ダイクロイックミラー36、投影レンズ36´、ハーフミラー37及び撮像管（前眼部像差有象手段）38を同一光軸上に配置し、またハーフミラー37の反射光軸上に光源40、集光レンズ41、視準板42、ミラー44及び投影レンズ45を配置して構成される。撮像管38は演算制御回路４００を介して表示装置４０６に接続されている。視準板42は、図２４に示すように、中央に円、その周辺に放射絞をもった視準スケールを有する。
【００３８】
上記のように構成された照準光学系において、撮像管38には、投影レンズ36´による被検眼EＬ(左眼)の前眼部像４０９Ｌと、投影レンズ45による視準スケール43の像４３ａが重ねて投影される。顧客４０７は表示装置４０６を見て、被検眼の瞳孔像Ｅｐの中心と視準スケール43の像４３ａとが一致して、被検眼の光軸とターゲット受光光学系52の光軸とが一致するように、ジョイスティックレバー３１５ｂを用いて被検眼に対し本装置を上下左右に移動させる。
【００３９】
以上の構成及び作用において、少なくとも3つの経線方向の被検眼屈折力を測定し、この測定値から被検眼の屈折度、乱視度及び乱視方向を求める。
【００４０】
次に、被検眼検出系50の2次元受光素子112が検出した信号によって、オートレフラクトメータ本体を移動して、被検眼とオートレフラクトメータとの相対位置関係を適正なものとする電気回路を、図２５にもとづいて説明する。受光素子112は、図２６に示すように、光束100が入射すると、その入射位置の座標に係る距離ｘ1,ｘ2,ｙ1,ｙ2に対応した電圧X1,X2,Y1,Y2を出力する。光束100が受光素子112の中央に入射すると、X1=X2、Y1=Y2となる。なお、本実施例では、チョッパー110の回転によって光束をY方向に走査するものとする。
【００４１】
最初に、X方向すなわち水平方向のずれを検出して調整する回路について説明する。受光素子112のX1出力端子、X2出力端子は、それぞれ増幅回路200,201に入力され、増幅回路200,201はそれぞれ(X1−X2)を計算する減算回路202及び(X1＋X2)を計算する加算回路204に接続されている。減算回路202及び加算回路204は、(X1−X2)/(X1＋X2)を計算する割算回路206に接続されている。割算回路206は、(X1−X2)/(X1＋X2)の正負を判断する方向弁別回路208及びドライバー210を経てパルスモータ３２６に接続されている。
【００４２】
以上の回路において、チョッパー110による走査がY方向についてなされているため、被検眼のずれ量の如何にかかわらず、光束100の平均的位置を示す信号X1,X2は、受光素子112への入射光量が変化しない限り、一定レベルで出力される。受光素子112の出力信号X1,X2は、それぞれ増幅回路200,201によって増幅され、減算回路202及び加算回路204でそれぞれの演算(X1−X2)及び(X1＋X2)がなされる。
【００４３】
演算回路202及び加算回路204の出力は、割算回路206によって(X1−X2)/(X1＋X2)が演算されるが、これは、受光素子112ヘの入射光量が変動しても、入射座標位置に対応した一定レベルの電圧信号を得ることができるようにするためである。(X1−X2)/(X1＋X2)＝X値の絶対値は被検眼のX方向のずれ量を示す。割算回路206の出力は、方向弁別回路208に入力されて、上記のXの正負が判断される。Xの正負は、X方向のずれの向きを示す。上記のXの正負の弁別により、ドライバー210がパルスモータ３２６を駆動してX方向（左右方向）の位置ずれを調整する。
【００４４】
次に、Y方向すなわち垂直方向のずれを検出して調整する回路について説明する。 チョッパー110による走査はY方向についてなされているから、受光素子112の出力する電圧信号Y1,Y2は、該走査に対応した変調信号となる。
【００４５】
ここで、電圧信号Y1,Y2は、上記被検眼位置検出系50の原理の説明で示したように、Z方向すなわちレフラクトメータの前後方向(光軸方向)の位置の情報も含んでいるから、以後、信号Y1(Z1),Y2(Z2)で示すものとする。受光素子112のY1(Z1),Y2(Z2)の出力端子は、図２５の位置検出回路４０１の増幅回路220,221を経て減算回路222及び加算回路224に接続される。位置検出回路４０１の減算回路222はローパスフィルター回路226を経て割算回路228に接続され、また、加算回路224は直接割算回路228に接続される。割算回路228は、上記X方向の回路と同様に、方向弁別回路230、ドライバー232を経て、パルスモータ等のＹ方向駆動装置３２０に接続されている。
【００４６】
以上の回路における作動は、ローパスフィルター回路226が減算回路222からの出力信号からその変調成分、即ち信号Z1,Z2の影響いて一定レベルの電圧信号とすることを除けば、上記X方向の回路の作動と同じであり、(Y1−Y2)/(Y1＋Y2)の正負を弁別して、ドライバー232がパルスモータ等のＹ方向駆動装置３２０を駆動してY方向（上下方向）のずれを調整する。
【００４７】
次に、Z方向（前後方向）のずれを検出して調整する電気回路について説明する。上記Y方向に関する回路における減算回路222および加算回路224は直接割算回路242に接続される。割算回路242は、バンドパスフィルター回路244、同期整流回路246、ローパスフィルター回路248、方向弁別回路250、ドライバー252を経てパルスモータ３２４に接続されている。また、基準信号検出素子114は、増幅回路260を経て同期整流回路246に接続されている。上記回路において、割算回路242は、信号Y1(Z1)−Y2(Z2)/Y1(Z1)＋Y2(Z2)の演算がなされ、バンドパスフィルター回路244に入力される。バンドパスフィルター回路244からの出力は、Z方向のずれ量に比例した振幅を有する変調波を出力する。この変調波は、図２７A及びBのように、ずれの方向によって位相の異なる信号となる。他方、基準信号検出素子114の出力は、増幅回路260によって増幅されて、図２７Cに示す矩形波のリフアレンス信号が同期整流回路246に入力される。この同期整流回路246はこのリフアレンス信号で上記バンドパスフィルター回路244からの出力とを同期整流して、ずれの方向によって図２７Dまたは図２７Eの信号を出力する。同期整流回路246からの出力は、ローパスフィルター回路248により図２７FまたはGの信号に変換されて、方向弁別回路250に入力される。方向弁別回路250に入力された信号の正負を弁別し、これをずれの方向の信号としてドライバー252に入力して、パルスモータ３２４を駆動する。
【００４８】
上述回路処理は発光素子102をDC点灯したものであるが、AC点灯(S/N向上の目的)した場合は若干の回路を付加すれば同様に信号が得られる。
【００４９】
また、Z方向のみのずれの量及びずれの方向を検出する場合は、上記実施例の2次元素子の代わりに、同じ位置に1次元素子をチョッパーの走査方向に配置して構成すればよい。
【００５０】
さらにまた、上記実施例においては、被検眼位置検出系のチョッパー110を受光側に配置したが、これを発光側の発光素子102と投影レンズ104との間に配置することも可能である。
（自覚式の眼屈折力測定光学系３４０Ｌ）
自覚式の眼屈折力測定光学系３４０Ｌは、ランドルト環やレッド・グリーンテスト用のチャート等その他の自覚式検眼のための検眼チャートを表示させる液晶表示器（表示手段）３４１と、屈折度数の異なる多数の球面レンズ３４２ａを周方向に配列保持した球面レンズ用ターレット円板３４２と、円柱度数が異なり且つ軸角度をそれぞれ調整可能な多数の円柱レンズ３４３ａを周方向に配列保持した円柱レンズ用ターレット円板３４３と、ミラー３４４と、リレーレンズ３４５と，ハーフミラー９，１０８間に配設したハーフミラー３４６と、ハーフミラー９，Ｈｍを有する。尚、ターレット円板３４２，３４３には、レンズ３４２ａ，３４３ａのない透孔（図示せず）も設けられている。
【００５１】
また、左眼屈折力検眼ユニット３１９Ｌは、図２８に示した演算制御回路４００を有する。この演算制御回路４００には、球面レンズ用ターレット円板３４２を回転駆動する球面レンズターレット駆動装置４１１と、円柱レンズ用ターレット円板３４３を回転駆動する円柱レンズターレット駆動装置４１２と、液晶表示器３４１が接続されている。
【００５２】
そして、演算制御回路３１５ａは、顧客３０７が自覚式検眼モードのための遠用測定スイッチ３１５ｄ、自覚式検眼における近用測定スイッチ３１５ｅをＯＮさせると、演算制御回路４００を介して液晶表示器３４１に検眼チャートを表示させる。  この際、遠用測定スイッチ３１５ｄがＯＮされると演算制御回路４００は、水平回転装置３１８Ｌを作動制御して、左眼屈折力検眼ユニット３１９Ｌの主光軸ＯＬを左右に向けた状態に維持する。また、近用測定スイッチ３１５ｅがＯＮされると演算制御回路４００は、水平回転装置３１８Ｌを作動制御して、左眼屈折力検眼ユニット３１９Ｌを矢印４１２で示したように所定量（設定量）だけ水平回動させると共に、パルスモータ３２６を作動制御して左眼屈折力検眼ユニット３１９Ｌを右眼屈折力検眼ユニット３１９Ｒ側に所定量（設定量）だけ移動させる。
【００５３】
また、液晶表示器３４１に表示された検眼チャートは、ターレット円板３４２，３４３のレンズ３４２ａ，３４３ａ又は透孔（図示せず）、ミラー３４５，ハーフミラー９，Ｈｍを介して左側の被検眼ＥＬに入射する。
（ｂ）右眼屈折力測定ユニット３１９Ｒの測定光学系及びその制御系
この右眼屈折力測定ユニット３１９Ｒの測定光学系は、図１６に示す様に、他覚式の左眼屈折力測定光学系３３０Ｒと、自覚式の眼屈折力測定光学系３４０Ｒと、これらを収容するケース（筐体）３５０Ｒを有する。
【００５４】
この右眼屈折力測定ユニット３１９Ｒの測定光学系３３０Ｒは左眼屈折力測定ユニット３１９Ｌの測定光学系３３０Ｌと全く同じであるので、その説明は省略する。
【００５５】
次に、この様な構成の眼屈折力検査装置の使用状態を説明する。
（１）顧客の感知
顧客４０７が椅子３１１に着座すると、人感センサ４０５がこれを感知し、この感知信号は演算制御回路３１５ａに入力する。これにより、演算制御回路３１５ａは、検眼装置である眼屈折力測定装置３１４をＯＮさせると共に、感知信号をインターネット３１０を介して検眼情報センター３０６のコンピュータ（検眼情報処理装置）３０７に伝送する。
【００５６】
これにより、検眼情報センター３０６のコンピュータ３０７は、その旨を図示しないブザーをならしてセンタ内の管理者に知らせるか、或いはその旨を表示装置３０９に文字や図形（アイコン）或いは回転ランプやＬＥＤの点滅等で表示させてセンターの管理者に知らせる。
【００５７】
また、演算制御回路３１５ａは、額検出センサー４０４から顧客（被検者）の顔が検眼装置本体３１４に対して所定の位置にセットされたか否かと言う情報を得る。
（２）検眼装置本体３１４の上下方向粗アライメント
また、演算制御回路３１５ａは、眼屈折力測定装置３１４がＯＮすると、テレビカメラ４０３は顧客４０７の顔４０８の画像を撮像して、この撮像された顔の画像４０８ａを図９，図１２，１４，１５に示したように表示装置４０６の右上部４０６ａに表示させる。また、演算制御回路３１５ａは、眼屈折力測定ユニット３１９Ｌ，３１９Ｒの撮像管（テレビカメラ）３８、３８で撮像された顧客の４０７の前眼部像４０９Ｌ，４０９Ｒを表示装置の下部の左右の表示部４０６ｂ，４０６ｃに表示させる。
【００５８】
ところで、検眼装置本体３１４の検眼窓４０２と顧客４０７の眼の高さが合わないため、表示部４０６ａに表示された顔の画像４０８ａが図１２の如く下方に位置して、画像４０８ａの下部が欠けるような場合には、眼屈折力測定ユニット３１９Ｌ，３１９Ｒの撮像管（テレビカメラ）３８、３８は顧客の４０７の前眼部を撮像していないので、表示装置４０６には前眼部像４０９Ｌ，４０９Ｒが表示されない。
【００５９】
この場合には、スイッチ３１５ｇをＯＮ操作する。これにより演算制御回路３１５ａは、昇降装置３１３を作動させて検眼装置本体３１４を降下させる。この駆動により、テレビカメラ４０３も降下して、顔の画像３０８ａは表示装置４０６の右上部の表示部４０６ａ上で上昇して図１４に示したように収まるように表示される。この位置で、スイッチ３１５ｇから手を離すと、演算制御回路３１５ａは昇降装置３１３を停止させる。この操作により、検眼装置本体３１４の検眼窓４０２と顧客４０７の眼の高さが合うと、眼屈折力測定ユニット３１９Ｌ，３１９Ｒの撮像管（テレビカメラ）３８、３８で撮像された顧客の４０７の前眼部像４０９Ｌ，４０９Ｒが表示装置４０６に映し出され、粗アライメントが完了する。
【００６０】
また、逆に表示部４０６ａに表示される画像４０８ａの上部が欠ける様な場合にも、検眼装置本体３１４の検眼窓４０２と顧客４０７の眼の高さが合わないため、眼屈折力測定ユニット３１９Ｌ，３１９Ｒの撮像管（テレビカメラ）３８、３８は顧客の４０７の前眼部を撮像していないので、表示装置４０６には前眼部像４０９Ｌ，４０９Ｒが表示されない。この場合には、スイッチ３１５ｆをオン操作して、昇降装置３１３を作動させて検眼装置本体３１４を上昇させ、顔の画像３０８ａが表示装置４０６の右上部の表示部４０６ａ上で図１４に示したように収まるように表示させる。この操作により、検眼装置本体３１４の検眼窓４０２と顧客４０７の眼の高さが合うと、眼屈折力測定ユニット３１９Ｌ，３１９Ｒの撮像管（テレビカメラ）３８、３８で撮像された顧客の４０７の前眼部像４０９Ｌ，４０９Ｒが表示装置４０６に映し出される。
【００６１】
この様な操作を顧客４０７ができない場合には、検眼情報センター３０６の管理者が、コンピュータ３０７及びインターネット３１０を介して眼屈折測定装置３１２を遠隔操作し、眼屈折測定装置３１２の図示しないスピーカで顧客４０７ｎに使用法を知らせるか、或いは表示装置４０６に使用法を文字表示させるかする。また、これでも操作法が分からない場合には、検眼情報センター３０６の管理者が、コンピュータ３０７及びインターネット３１０を介して眼屈折測定装置３１２を遠隔操作して、眼屈折測定装置３１２の検眼装置本体３１４を上述したように上下動調整して、顧客４０７の顔の眼が検眼窓４０２に合うように上下方向の粗アライメントをする。
【００６２】
また、検眼情報センター３０６の管理者は、顧客４０７が以下に説明する検眼方法が分からない場合も、眼屈折測定装置３１２を遠隔操作して、検眼を行う。
（３）左右眼の粗アライメント
また、上述の粗アライメントが完了した状態においては、撮像管38には、投影レンズ36´による被検眼EＬ(左眼)の前眼部像４０９Ｌと、投影レンズ45による視準スケール43の像４３ａが重ねて投影される。また、この状態では、標準の人の瞳孔間距離に合うように眼屈折力測定ユニット３１９Ｌ，３１９Ｒの間隔が初期設定されている。
【００６３】
この状態で演算制御回路３１５ａは、顧客４０７に図示しないスピーカを介して音声で或いは表示装置４０６に文字で、左右の眼屈折力測定ユニット３１９Ｌ，３１９Ｒの光軸合わせ方法を指示する。
【００６４】
この場合、演算制御回路３１５ａは、演算制御回路４００を制御して、水平回転装置３２０により眼屈折力測定ユニット３１９Ｌ，３１９Ｒを矢印４１２の方向に水平回動させ、被検眼ＥＬ，ＥＲの光軸Ｏ１，Ｏ２が平行になるように設定すると共に、顧客４０７に固視ターゲット３３を駆動手段３３ａで遠方視位置に移動させて、顧客の左眼に固視ターゲット３３を固視するように促すと共に、眼屈折力測定ユニット３１Ｌの光軸合わせの指示を行なう。
【００６５】
そして、この指示に従って顧客（被検者）４０７は、ジョイステックレバー３１５ｂを前後左右に傾動操作すると共に、ジョイステックレバー３１５ｂを回動操作する。
【００６６】
この際、ジョイステックレバー３１５ｂが左右に傾動操作されると演算制御回路３１５ａは、左眼屈折力測定ユニット３１９Ｌの演算制御回路４００を制御して、演算制御回路４００によりパルスモータ３２６を正転・逆転制御して、左眼屈折力測定ユニット３１８９Ｌを初期設定位置から左右微動させる。また、ジョイステックレバー３１５ｂが前後に傾動操作されると演算制御回路３１５ａは、左眼屈折力測定ユニット３１９Ｌの演算制御回路４００を制御して、パルスモータ３２４を正転・逆転制御して、左眼屈折力測定ユニット３１８９Ｌを前後微動させる。更に、ジョイステックレバー３１５ｂが前後に傾動操作されると演算制御回路３１５ａは、左眼屈折力測定ユニット３１９Ｌの演算制御回路４００を制御して、Ｙ方向駆動装置３２０作動制御して、左眼屈折力測定ユニット３１８９Ｌを上下微動させる。
【００６７】
この様な操作は、顧客４０７が表示装置４０６を見ながら行う。即ち、被検眼の瞳孔像Ｅｐの中心と視準スケール43の像４３ａとが一致して、被検眼の光軸とターゲット受光光学系52の光軸とが一致するように、ジョイスティックレバー３１５ｂを用いて被検眼に対し眼屈折力測定ユニット３１Ｌを前後・左右・上下に微動させる。
【００６８】
この微動により、眼屈折力測定ユニット３１９Ｌの視準スケール43の像４３ａが左眼の瞳孔像Ｅｐの中心（輝点像）に対して所定範囲内に入ると、演算制御回路３１５ａは眼屈折力測定ユニット３１９Ｌの座標をパルスモータ３２４，３２６やＹ方向駆動装置３２０の駆動位置から求めてメモリ３１５ｈに左粗アライメント座標として記憶させる。
【００６９】
この記憶後、演算制御回路３１５ａは、眼屈折力測定ユニット３１９Ｒの光軸合わせの指示を図示しないスピーカを介して音声で或いは表示装置４０６に文字で行う。顧客４０７はこの指示に従って、左眼の光軸合わせと同様にして、被検眼の瞳孔像Ｅｐの中心と視準スケール43の像４３ａとが一致して、被検眼の光軸とターゲット受光光学系52の光軸とが一致するように、ジョイスティックレバー３１５ｂを用いて被検眼に対し眼屈折力測定ユニット３１９Ｒを前後・左右・上下に微動させる。
【００７０】
この微動により、眼屈折力測定ユニット３１９Ｒの視準スケール43の像４３ａが右眼の瞳孔像Ｅｐの中心（輝点像１０２ａ）に対して所定の範囲に入ると、演算制御回路３１５ａは眼屈折力測定ユニット３１９Ｒの座標をパルスモータ３２４，３２６やＹ方向駆動装置３２０の駆動位置から求めてメモリ３１５ｈに右粗アライメント座標として記憶させる。
【００７１】
演算制御回路３１５ａは、この様な左粗アライメント座標と右粗アライメント座標を求める際、測距手段４０４からの測距信号を基に、被検眼までの位置を求める。
（４）瞳孔間距離の演算
そして、演算制御回路３１５ａは、この様にしてメモリ３１５ｈに記憶された左粗アライメント座標と右粗アライメント座標、及び、この際の視準スケール43の像４３ａの座標と左右眼ＥＬ，ＥＲの輝点像の座標から、顧客４０７の瞳孔間距離ＰＤを求める。尚、この際、視準スケール43の像４３ａの座標と左右眼ＥＬ，ＥＲの輝点像の座標は、撮像管（テレビカメラ）３８のエリアＣＣＤから求められる。そして、演算制御回路３１５ａは、この瞳孔間距離ＰＤを検眼情報センター３０６コンピュータ３０７にインターネット３１０を介して伝送し、メガネを加工したり、メガネフレームを選択する際のデータとしてコンピュータ３０７のメモリ（図示せず）に記憶させる。
（５）眼屈折力測定のための設定
そして、ＣＰＵである演算制御回路３１５ａは、このようにして遠用測定時の瞳孔間距離（遠用瞳孔間距離）ＰＤが求めらると、遠用視時の瞳孔間距離ＰＤに対応する左右の眼屈折力測定ユニット３１９Ｌ，３１９Ｒの間隔及び座標を求める。
【００７２】
また、演算制御回路３１５ａは、上述のようにして遠用測定時の瞳孔間距離ＰＤが求めらると、固視ターゲット３３を近用視位置に配置して、被検眼に固視ターゲット３３を固視させたとき（近用視時）の被検眼EＬ,EＲの光軸Ｏ１，Ｏ２の輻輳角α(図１６参照)、この際の瞳孔間距離（近用瞳孔間距離）ＰＤ、この際の固視ターゲット(固視目標)の像の形成される位置、この際の左右の眼屈折力測定ユニット３１９Ｌ，３１９Ｒの間隔及びその座標を演算して求める。
【００７３】
そして、演算制御回路３１５ａは、顧客４０７が遠用測定スイッチ３１５ｄをＯＮさせると、固視ターゲット３３を駆動手段３３ａで遠方視位置に移動させると共に、水平回転装置３１８Ｌ，３１８Ｒを作動制御して、眼屈折力測定ユニット３１９Ｌ，３１９Ｒを矢印４１２で示した方向に水平回動させ、固視ターゲット(固視目標)の像の形成される位置に対応する遠用測定の輻輳角α「０」に設定する。即ち、演算制御回路３１５ａは、被検眼EＬ,EＲの光軸Ｏ１，Ｏ２が平行になるように設定する。一方、演算制御回路３１５ａは、眼屈折力測定ユニット３１９Ｌ，３１９Ｒの演算制御回路４００，４００によりパルスモータ３２６，３２６を作動制御して、遠用視時の瞳孔間距離ＰＤに対応して求めた左右の眼屈折力測定ユニット３１９Ｌ，３１９Ｒの間隔及びその座標位置になるように眼屈折力測定ユニット３１９Ｌ，３１９Ｒを移動させる。
【００７４】
また、演算制御回路３１５ａは、顧客４０７が近用測定スイッチ３１５ｅをＯＮさせると、固視ターゲット３３を駆動手段３３ａで近用視位置に移動させると共に、演算制御回路４００を制御して眼屈折力測定ユニット３１９Ｌ，３１９Ｒのパルスモータ３２６，３２６駆動制御し、眼屈折力測定ユニット３１９Ｌ，３１９Ｒを求めた近用視時の瞳孔間距離に設定する。これと共に、演算制御回路３１５ａは、水平回転装置３１８Ｌ，３１８Ｒを作動制御して、眼屈折力測定ユニット３１９Ｌ，３１９Ｒを矢印４１２で示した方向に水平回動させ、固視ターゲット(固視目標)の像の形成される位置に対応する近用測定の輻輳角αに設定して、被検眼EＬ,EＲの光軸Ｏ１，Ｏ２と眼屈折力測定ユニット３１９Ｌ，３１９Ｒの主光軸ＯＬ，ＯＲがハーフミラーＨｍ，Ｈｍを介して一致するようにする。
（６）アライメント
この様な被検眼瞳孔間距離ＰＤ、被検眼EＬ,EＲの輻輳角α(図１６参照)及び固視ターゲット(固視目標)の像の形成される位置等のデータは、表示装置４０６に表示される。
【００７５】
この後、ジョイスティックレバー３１５ｂを前後左右に傾動操作するとともに回転操作することにより、眼屈折力測定ユニット３１９Ｌ，３１９Ｒの演算制御回路４００はパルスモータ３２４，３２６やＹ方向駆動装置３２０を作動制御して、ケース本体３１６を前後左右及び上下に微動操作して、左眼測定光学系３３０Ｌを被検眼EＬ(左眼)の角膜頂点に対してオートアライメントが可能な所定範囲内に粗アライメントさせる。
【００７６】
そして、演算制御回路３１５ａは、左眼測定光学系３３０Ｌが被検眼EＬ(左眼)の角膜頂点に対してオートアライメント可能な所定範囲内に入ると、眼屈折力測定ユニット３１９Ｌ，３１９Ｒの演算制御回路４００によりパルスモータ３２４，３２６やＹ方向駆動装置３２０を作動制御して、眼屈折力測定ユニット３１９Ｌ，３１９Ｒの主光軸ＯＬ，ＯＲがハーフミラーＨｍ，Ｈｍを介して一致させ、アライメントが完了する。
【００７７】
しかも、測定光学系３３０Ｌ，３３０Ｒが被検眼EＬ(左眼)，EＲ(右眼)の角膜頂点にアライメントさせられた後は、被検眼EＬ(左眼)，EＲ(右眼)が多少動いて測定光学系３３０Ｌ，３３０Ｒの主光軸ＯＬ，ＯＲが被検眼EＬ(左眼)，EＲ(右眼)の光軸Ｏ１，Ｏ２に対しずれたりしても、 図２５に示した制御回路がパルスモータ３２４，３２６，Ｙ方向駆動装置３２０を上述の様に駆動制御したり、左右眼のずれを合わすため、常時アライメントが行われることになる。
（７）他覚による眼屈折力測定
この様に顧客４０７は測定光学系３３０Ｌ，３３０Ｒを被検眼EＬ(左眼)、被検眼EＲ(右眼)に対して粗アライメントするのみで、測定光学系３３３０Ｌ，３３０Ｒは被検眼EＬ(左眼)，被検眼EＲ(右眼)に自動的にアライメントされることになる。
【００７８】
従って、他覚式又は自覚式の検眼モードを選択する検眼モード選択スイッチ３１ｃにより、眼屈折力測定装置３１２を他覚式の眼屈折力測定モードにして、固視ターゲット３３の位置を上述の様に遠点又は近点或いは任意の位置に設定した後、測定光学系３３０Ｌ，３３０Ｒを上述の様にアライメントしながら、被検者の被検眼EＬ,EＲに測定光学系３３０Ｌの固視ターゲット33及び測定光学系３３０Ｒの固視ターゲット33をハーフミラーＨｍ，Ｈｍを介してそれぞれ覗かせることにより、被検者の被検眼EＬ,EＲを固視ターゲット像に固定して、測定光学系３３０Ｌ，３３０Ｒのアライメントがされた時点で上述したように被検眼EＬ(左眼),被検眼EＬ(右眼)の遠用視時や近用視時の屈折度等を自動的に他覚式に測定する。
（８）自覚による眼屈折力測定
顧客３０７が、他覚式又は自覚式の検眼モードを選択する検眼モード選択スイッチ３１ｃにより、眼屈折力測定装置３１２を自覚式の眼屈折力測定モードにした後、遠用測定スイッチ３１５ｄ、又は、近用測定スイッチ３１５ｅをＯＮさせると、上述したようにして、測定光学系３３３０Ｌ，３３０Ｒを被検眼EＬ(左眼)，被検眼EＲ(右眼)に対して自動的に遠用視又は近用視のアライメントをさせる。一方、演算制御回路３１５ａは、演算制御回路４００を介して液晶表示器３４１に検眼チャートを表示させる。この液晶表示器３４１に表示された検眼チャートは、ターレット円板３４２，３４３のレンズ３４２ａ，３４３ａ又は透孔（図示せず）、ミラー３４５，ハーフミラー９，Ｈｍを介して左側の被検眼ＥＬに入射する。
【００７９】
従って、この状態で、液晶表示器３４１の検眼チャートを検眼目的に応じて選択し、ターレット円板３４２を駆動装置４１０により回転駆動して屈折力の異なる球面レンズ３４２ａを光路中に順次挿入して、液晶表示器３４１の検眼チャートの見栄具合がはっきりするようにする。また、乱視がある場合にはターレット円板３４３を駆動装置４１１により回転駆動して屈折力の異なる円柱レンズ３４３ａを光路中に順次挿入すると共に、円柱レンズ３４３ａを光路中に於いて光軸回りにパルスモータ３４３ｂにより回転させることにより、円柱レンズ３４３ａの円柱軸を回転させて、液晶表示器３４１の検眼チャートの見栄具合がはっきりするようにする。
【００８０】
そして、演算制御回路３１５ａは、光路に挿入されているレンズ３４２ａ，３４３ａの球面屈折度数及び円柱屈折度数を駆動装置４１０，４１１の駆動量から求めると共に、レンズ３４３ａの円柱軸の向きを円柱レンズ３４３ａを光路中に於いて光軸回りの回転量から求める。なお、この回転量はパルスモータ３４３ｂの回転駆動量により求めることができる。また、この一連の操作は、ジョイステックレバー３１５ｂの操作によって行うことができるが、専用のパネルを設けて行っても良い。
【００８１】
このとき、眼屈折力測定ユニット３１９Ｒ、３１９Ｌは常にオートアライメントが掛けられており、自覚検眼中に多少顧客（被検者）の顔位置がずれても、支障なく検査が進められる。
（９）その他
尚、以上説明した実施例では、顧客４０７の顔を固定しないで検眼する様に説明したが、実際には顧客の顔を固定支持する顎受け及び額当てを検眼テーブル３１０上に設け、額当てに顧客を感知する人感センサ（スイッチ）を設けて、顧客が検眼を開始したか否かを感知する。この場合には、検眼装置本体３１４に対する顧客の顔の位置が特定されるので、より正確な測定ができる。
【００８２】
また、顎受け及び額当てを検眼テーブル３１０上に高さ調整可能に取り付けて、検眼装置本体３１４との高さ調整に用いることもできる。更に、顎受けのみを検眼テーブル３１０上に高さ調整可能に取り付けて、検眼装置本体３１４との高さ調整に用いることもできる。また、額当てのみを検眼テーブル３１０上に高さ調整可能に取り付けて、検眼装置本体１４との高さ調整に用いることもできる。
【００８３】
更に、検眼装置本体３１４に顎受けを設けて、この顎受けに顎を載せた顧客が検眼窓４０２に両眼を近づけて検眼窓４０２内を覗くようにし、この状態で検眼を行うようにすることができる。この場合、顎から両眼までの高さは顧客によって異なる。従って、検眼装置本体３１４に額当てを設けて、この額当てに額を当てて顧客が検眼窓４０２に両眼を近づけて検眼窓４０２内を覗くようにし、この状態で検眼を行うようにすることで、額当てへの額の当たる位置を容易に変えることができ、検眼窓４０２に対して顧客が眼の高さを容易に調整し易くすくすることができる。更に、この額当てや顎受けを検眼装置本体３１４に設けても良い。この様にする事で、検眼装置本体３１４の顧客の顔に対する高さを調整することで、額当てや顎受けの高さを顧客の顔の高さに容易に合わせて、額当てや顎受けをスムースに利用できる。
【００８４】
更に、顧客（被検者用）のモニターは、検眼装置本体３１４と一体の表示装置４０６である必要はなく、検眼装置本体３１４と別体のモニターテレビや液晶テレビでもよい。
【００８５】
また、顧客（被検者用）の表示装置４０６（モニター）は、検眼をスタートする前の操作方法を音声と連動させて表示するのにも用いる。即ち、この場合、顧客の検眼ボックス内の入室を検知したり、顧客が検眼ボックス内の椅子に座ったのを検知して、この検知信号を受けたときに、顧客に音声で「椅子の高さを調整してください」とのメッセージを出し、高さ調整がＯＫならば、音声で「スタートボタンを押してください」というメッセージを出す。この場合、ＯＮ声メッセージと同じ内容を表示装置４０６に表示させる。
【００８６】
更に、顧客の顔と検眼装置本体３１４の高さ合わせは、テレビカメラ４０３で撮像した顧客の画像を基に行うことができる。即ち、テレビカメラ４０３で撮像した顧客の顔の画像の高さ（上下位置）を画像処理により求めて、昇降装置３１３を演算制御回路３１５ａにより駆動制御することにより、顧客の両眼の高さが検眼装置本体３１４の検眼窓４０２の高さに合う位置まで検眼装置本体３１４を昇降駆動させて祖アライメントする様にすることもできる。この様にすることで、検者レスの検眼を行うようにすることができる。
【００８７】
また、検眼装置本体３１４に額当てを設けると共に、検眼ボックス内の椅子の側方にサイドカメラを設けて、顧客が検眼ボックス内の椅子に着座したのを検知したとき、サイドカメラからの画像を顧客の基に画像処理により顧客の顔の高さ等を求めて、椅子の高さを調整する事により、検眼装置本体３１の検眼窓４０２に対して顧客の顔の高さを調整し、検眼装置本体３１４の額当てに顧客の額を当ててもらうようにすることもできる。この様にすることで、検者レスの検眼を行うようにすることができる。
【００８８】
また、上述の様な検眼に際して、顧客の検眼データから検者レスでは対応が難しいと判断した場合、極端な不同視の場合、強度の乱視の場合、極端な球面度数の場合、乱視軸が斜乱視の場合、矯正視力値が極端に低い場合等のときには、検眼情報センター３００側の管理者（オペレータ）が眼屈折力測定装置３１２をセンター側から遠隔操作する。
【００８９】
更に、検眼がスムーズでないか、若しくは顧客の応答がない場合、若しくはレッド・グリーンテストがうまく行われない場合、或いは所定の時間以上応答がない場合、検眼情報センター３００側の管理者（オペレータ）が眼屈折力測定装置３１２をセンター側から遠隔操作するか、検眼情報センター３００側の管理者（オペレータ）が眼屈折力測定装置３１２の使用法を検眼装置本体３１４の図示しないスピーカ或いは表示装置４０６を用いて顧客に知らせるようにするとよい。
（１０）コンサルティング
また、上述の検眼が終了した後、この検眼に基づく検眼データが演算制御回路３１５ａから検眼情報センター３００のコンピュータ３０７にインターネット３１０を介して伝送されると、センター側の管理者はこの伝送された検眼データを基に顧客４０７に対してコンサルティングを行う。
【００９０】
この場合、検眼データに基づいてメガネの処方値等を作成して、処方値を眼鏡レンズ選びのためのデータとして、このデータを基に顧客と眼鏡レンズ選びを行う。ところで眼鏡レンズは、材質が低屈折材料、中屈折材料、高屈折材料の順にレンズ厚さが薄くなるが、この順に価格（コスト）も高くなる。従って、顧客の視力値が比較的良い場合には低屈折材料のコストの安い眼鏡レンズでもレンズコバ厚は厚くならない。しかし、顧客の視力値が悪くかなり小さい場合には低屈折材料のコストの安い眼鏡レンズを使用すると、眼鏡レンズのコバ厚が厚くなりすぎて眼鏡フレームによっては側面から見たメガネの見栄えが悪くなる。この場合には、コストは高くなるがコバ厚が薄くなる高屈折材料の眼鏡レンズを用いることで、メガネのコバ厚を小さくし、見栄えが損なわれないようにできる。この様なコストとレンズコバ厚の見栄えの観点等をセンター側の管理者が顧客にコンサルティングすることで、顧客は眼鏡レンズ選びの参考とすることができる。
【００９１】
また、センター側では、表示装置３０８に映し出される顧客４０７の顔を見ながら、演算制御回路３１５ａにインターネット３１０を介して多数の眼鏡フレーム像を伝送し、この眼鏡フレーム像を検眼装置本体側の表示装置４０６に表示させて、検眼装置本体１４に設けられたスピーカ（図示せず）を介して音声で又は表示装置４０６に文字でフレーム選びのコンサルティングを行う。
（１１）メガネフレームの合成と選択
また、テレビカメラ４０３で撮像した顧客の顔の画像をインターネット３１０を介して検眼情報処理センター３００のコンピュータ３０７に伝送し、コンピュータ３０７の図示しない情報記録再生装置（ハードディスクやＤＶＤ等）に記録されたメガネフレームを顧客の顔の画像に選択的に合成できるようにして、この合成を検眼装置本体３１４側のジョイステックレバー３１５ｂで顧客が簡易に選択して、眼鏡フレームと顔画像の合成像をインターネット３１０で演算制御回路３１５ａに返送させ、ｋの返送された眼鏡フレームと顔画像の合成像を検眼装置本体３１４の表示装置４０６に表示させることにより、フレーム選びができるようにしても良い。
（変形例）
以上説明した実施例では、多数の場所に配置された眼屈折力検査装置３１２等の検眼装置をインターネット３１０を介して検眼情報センター３００側で管理するようにして例を示したが必ずしもこれに限定されるものではない。
【００９２】
例えば図２９，３０に示したように、眼鏡店６００のコーナに検眼ボックスＢ１，Ｂ２，Ｂ３等を配置し、検眼ボックスＢ１，Ｂ２，Ｂ３内に眼屈折力検査装置３１２等の検眼装置を設置すると共に、眼鏡店６００の他のコーナに管理室６０１を設け、この管理室６０１に上述した検眼情報処理装置３０６を配設して、検眼情報処理装置３０６と眼屈折力検査装置３１２等の検眼装置とをイントラネット６０２を介して接続して、管理室６０１において上述したセンターにおける様な検眼管理やコンサルティングを行うようにすることもできる。
（その他）
また、以上説明した実施例では、眼屈折力測定ユニット３１９Ｒ、３１９Ｌを水平回動可能に設けた例を示したが、必ずしもこれに限定されるものではない。たとえば、眼屈折力測定ユニット３１９Ｒ、３１９Ｌは対向した状態で左右にのみ移動駆動可能に設け、左右のハーフミラーＨｍ、Ｈｍを図示しないパルスモータで回転駆動制御できるようにすることで、眼屈折力測定ユニット３１９Ｒ、３１９Ｌの光軸の向きを変更できるようにしてもよい。
【００９３】
この場合、顧客の両眼が輻輳している場合、この輻輳角を考慮に入れながら、眼屈折力測定ユニット３１９Ｒ、３１９ＬのＸ、Ｙ、Ｚの座標から、実際のＸ、Ｙ、Ｚの座標を顧客の両眼の輻輳角度に応じて補正値を演算し、この補正値に基づいて三次元駆動装置３１７Ｌ、３１７Ｒを駆動制御するようにしても良い。
【００９４】
また、輻輳角がついている場合、所定の位置になるまで複数回測定して移動させ、追い込むように制御する。
【００９５】
また、眼屈折力測定ユニット３１９Ｒ、３１９Ｌは常にオートトラッキング（オートアライメント）を掛けるようにしておいて、顧客（被検者）の応答を待ち、応答が入ったらそれに応じて自覚の検査を自動的に進める様にしてもよい。
【００９６】
更に、オートトラッキングとチャートの提示、自覚度数を行う眼屈折力測定ユニット３１９Ｒ、３１９Ｌと、被検者の応答を受ける演算制御回路３１５ａは独立しており、演算制御回路３１５ａから眼屈折力測定ユニット３１９Ｒ、３１９Ｌへの指示の受け渡しは通信を用いておきなわれる。
【００９７】
【発明の効果】
以上説明したように、請求項１の発明は、被検者の他覚的及び自覚的に求めることが可能な左眼屈折力測定ユニットと右眼屈折力測定ユニットが設けられ、前記各眼屈折力測定ユニットがそれぞれ独立した駆動手段で少なくとも左右に駆動可能に設けられた眼屈折力測定装置であって、前記各眼屈折力測定ユニットをそれぞれ独立して水平回動させる水平回動手段と、前記各眼屈折力測定ユニットの左右への駆動量及び水平回動量から両眼屈折力測定ユニットの間隔及び測定光軸角度を求めて、前記間隔から前記被検者の左右眼の瞳孔間距離を求める演算制御回路を有する構成としたので、遠用視したときの瞳孔間距離及び近用視したときの瞳孔間距離を求めることができる。
【００９８】
また、請求項２の発明は、前記眼屈折力測定ユニットは、三次元駆動機構により前後・左右・上下に駆動可能に設けられていると共に、オートアライメント可能である構成としたので、自覚による眼屈折力及び他覚による眼屈折力のためのアライメントを容易に行うことができる。
【図面の簡単な説明】
【図１】この発明にかかる検眼装置（眼屈折力測定装置）が設置される検眼ボックスの配置を示す説明図である。
【図２】図１の様に配置された検眼ボックスの検眼装置を用いた検眼システムの説明図である。
【図３】図１に示した検眼ボックスに設置される検眼装置の概略説明図である。
【図４】（ａ）は図１の検眼ボックスと検眼装置本体との関係を示す概略説明図、（ｂ）は（ａ）の部分拡大図、（ｃ）は（ｂ）の平面図である。
【図５】図４の検眼装置本体のケースの平面図である。
【図６】図４の検眼装置本体の水平断面図である。
【図７】図４の検眼装置本体の縦断面図である。
【図８】図７の三次元テーブルの平面図である。
【図９】図４の検眼装置本体の正面図である。
【図１０】図９の表示装置の拡大説明図である。
【図１１】図３〜図１０の検眼装置の制御回路図である。
【図１２】図９の表示装置の作用説明図である。
【図１３】図９の表示装置の作用説明図である。
【図１４】図９の表示装置の作用説明図である。
【図１５】図９の表示装置の作用説明図である。
【図１６】図３〜図１０に示した検眼装置の光学系を示す説明図である。
【図１７】図１６の光学系のチョッパーの説明図である。
【図１８】図１６の光学系の検出原理を示す説明図である。
【図１９】図１６の光学系の検出原理を示す説明図である。
【図２０】図１６の光学系の検出原理を示す説明図である。
【図２１】図１６の光学系の検出原理を示す説明図である。
【図２２】図１６の光学系の検出原理を示す説明図である。
【図２３】図１６の光学系の反射光遮断絞りの正面図である。
【図２４】図１６の光学系の視準スケールの正面図である。
【図２５】図１６の光学系の制御回路のブロック図である。
【図２６】図１６の光学系の2次元受光素子の出力信号説明図である。
【図２７】図１６の光学系の制御回路の波形図である。
【図２８】図１６の光学系の他の制御回路の波形図である。
【図２９】この発明の他の例を示す説明図である。
【図３０】図２９の配線説明図である。
【符号の説明】
３１５ａ・・・演算制御回路
３１７Ｌ，３１７Ｒ・・・三次元駆動装置（三次元駆動手段）
３１８Ｌ，３１８Ｒ・・・水平回転装置（水平回動手段）
３１９Ｌ・・・左眼屈折力測定ユニット
３１９Ｒ・・・右眼屈折力測定ユニット
【図１】
0004515605.tif 000002
【図２】
0004515605.tif 000003
【図３】
0004515605.tif 000004
【図４】
0004515605.tif 000005
【図５】
0004515605.tif 000006
【図６】
0004515605.tif 000007
【図７】
0004515605.tif 000008
【図８】
0004515605.tif 000009
【図９】
0004515605.tif 000010
【図１０】
0004515605.tif 000011
【図１１】
0004515605.tif 000012
【図１２】
0004515605.tif 000013
【図１３】
0004515605.tif 000014
【図１４】
0004515605.tif 000015
【図１５】
0004515605.tif 000016
【図１６】
0004515605.tif 000017
【図１７】
0004515605.tif 000018
【図１８】
0004515605.tif 000019
【図１９】
0004515605.tif 000020
【図２０】
0004515605.tif 000021
【図２１】
0004515605.tif 000022
【図２２】
0004515605.tif 000023
【図２３】
0004515605.tif 000024
【図２４】
0004515605.tif 000025
【図２５】
0004515605.tif 000026
【図２６】
0004515605.tif 000027
【図２７】
0004515605.tif 000028
【図２８】
0004515605.tif 000029
【図２９】
0004515605.tif 000030
【図３０】
0004515605.tif 000031